(57)【要約】【課題】ビデオ写真用機器の支持体を提供する。【解決手段】ビデオ写真用機器（２；２００）の支持体（１；１００）であり、支持される機器の部品への適切な固定手段（５；５’）によって固定可能なプレート（３；３’）と、ヒンジ手段（８；８’）によってプレートに接続された支持部材（７；７’）とを具備し、支持部材は、プレート上に折り畳まれた閉位置（Ｙ）と、支持部材が後者を支持するためにプレートから外向きに開かれる開位置（Ｚ）との間で移動するように設けられ、ヒンジ手段は、受け座部（２２；２２’）に収容された弾性部材（２０；２０’）を有し、支持部材のヒンジ部分（１４，１５；１４’，１５’）に、プレートに対して支持部材の回転を制動するために、座部の壁（２３；２３’）に対してヒンジ部材を押し付けるスラスト力を及ぼし、弾性部材は、ヒンジ部分の間に介在された少なくとも１つのばね（２０；２０’）を有する。【選択図】図１
2011242772.tif 000002
【特許請求の範囲】
【請求項１】
ビデオ写真用機器（２；２００）のための支持体（１；１００）であって、
支持されるビデオ写真用機器（２；２００）の部品への適切な固定手段（５；５’）によって固定可能なプレート（３；３’）と、
それぞれのヒンジ手段（８；８’）によって前記プレート（３；３’）にヒンジ接続された支持部材（７；７’）と、を具備し、
前記支持部材（７；７’）は、この支持部材（７；７’）が前記プレート（３；３’）上に折り畳まれた閉位置（Ｙ）と、前記支持部材（７；７’）が後者を支持するために前記プレート（３；３’）から外向きに開かれる少なくとも１つの開位置（Ｚ）との間で移動するように設けられており、
前記ヒンジ手段（８；８’）は、前記プレート（３；３’）で規定された受け座部（２２；２２’）に収容された弾性部材（２０；２０’）を有し、前記支持部材（７；７’）のヒンジ部分（１４，１５；１４’，１５’）に、前記プレート（３；３’）に対して前記支持部材（７；７’）の回転を制動するために、前記座部（２２；２２’）の壁（２３；２３’）に対して前記ヒンジ部材（１４，１５；１４’，１５’）を押し付けるスラスト力を及ぼすことを特徴とする、支持体（１；１００）において、
前記弾性部材（２０；２０’）は、前記ヒンジ部分（１４，１５；１４’，１５’）の間に介在された少なくとも１つのばね（２０；２０’）を有することを特徴とする支持部材（１；１００）。
【請求項２】
前記少なくとも１つのばね（２０；２０’）は、前記プレート（３）に対して任意の角度位置で前記支持部材（７；７’）を位置決めするために、前記プレート（３）に対して前記支持部材（７；７’）の連続的な回転を与えるように構成されている請求項１の支持体（１；１００）。
【請求項３】
前記少なくとも１つのばね（２０；２０’）は、５０ないし１５０Ｎのスラスト力を前記ヒンジ部分（１４，１５；１４’，１５’）に及ぼすように寸法決めされている請求項１又は２の支持体（１；１００）。
【請求項４】
前記少なくとも１つのばね（２０；２０’）は、２４５ないし４５０Ｎのスラスト力を前記ヒンジ部分（１４，１５；１４’，１５’）に及ぼすように寸法決めされている請求項１又は２の支持体（１；１００）。
【請求項５】
前記支持部材（７；７’）は、３つの脚部を有し、
２つの脚部（９，１０）が、前記プレート（３）の第１の側辺（３ａ）にヒンジ接続され、第３の脚部（１１）が、前記第１の側辺（３ａ）に対向している前記プレート（３）の第２の側辺（３ｂ）にヒンジ接続されている請求項１ないし４のいずれか１の支持体（１；１００）。
【請求項６】
支持体（１；１００）に前記機器（２；２００）を固定するための前記固定手段（５；５’）を取り外し可能に受けるためのさらなる接続手段（４；４’）を具備する請求項１ないし５のいずれか１の支持体（１；１００）。
【請求項７】
前記接続手段（４；４’）は、前記プレート（３）の長軸線（Ｘ）にほぼ沿って延びたスロット（４）を有し、
前記固定手段（５）は、前記スロット（４）に沿って移動可能である請求項１ないし６のいずれか１の支持体（１；１００）。
【請求項８】
前記接続手段は、前記プレート（３’）に適切に離間された複数のスロット（４’，４’ａ，４’ｂ，４’ｃ）を有し、
前記固定手段（５；５’）は、前記複数のスロット（４’，４’ａ，４’ｂ，４’ｃ）の各々と連結されている請求項６の支持体。
【請求項９】
前記プレート（３；３’）は、ザマックでできており、
前記ヒンジ部分（１４，１５；１４’，１５’）及び前記弾性部材（２０；２０’）は、鋼でできている請求項１ないし８のいずれか１の支持体。
【発明の詳細な説明】
【技術分野】
【０００１】
本発明の対象物は、主請求項の前段で述べられる特徴部分を有するビデオ写真用機器のための支持体である。
【背景技術】
【０００２】
アマチュアの現場では、ビデオ写真撮影をしなければならないとき、例えば、セルフタイマー撮影をするために、又は、写真を撮る機器を上に置くときに利用可能な表面を使用して、長時間露光させた写真を撮るために、機器を支持体の上に置くことが必要であることがときどきある。
【０００３】
しかし、これらの場合には、被写体の正確なフレーミングはかなり難しいことがわかっており、また、写真の品質は、選択された表面が凸凹で安定しているようにして機器を支持しないために、また、このような表面の高さ又はおおよその配置を合わせたり調整したりすることが明らかに不可能であるために、このような間に合わせの解決策を強く反射することがある。
【０００４】
さらに、ビデオ写真用機器の使用は、オペレータにとってかなり不快であることがわかっている。
【０００５】
他方、必要な場合に利用可能であるように人の背中に三脚を常に携行するのは、非常に不便であろう。
【０００６】
これらの状態では、機器の位置決めと対象物の正確なフレーミングとの両方が複雑である。
【０００７】
このような欠点を改善するために、特許文献１から、ビデオ写真用機器の部品と着脱可能に連結可能で、容易に持ち運び可能であるようにかなり小さな寸法であるビデオ写真用機器の支持体が知られている。
【０００８】
このような支持体は、機器と連結可能なプレートと、このプレートの両側に枢動可能に固定された２つの小さなウイングとを有し、これら２つの小さなウイングは、プレート上に折り畳まれる位置と、２つのウイングが支持体と連結された機器を支持するように、互いに対して外向きに開かれた拡張位置との間で可能である。２つのウイング間には、これの全体の広がりを制限するためのタイロッドが延びている。
【０００９】
特許文献１に記載された支持体の２つのウイングの各々には、支持体のための支持部分を形成するのに適した２つの突起部分が設けられている。支持体には、それ故、４つの支持点が設けられており、これは、ときどき、不安定性の問題を引き起こす。
【００１０】
特許文献２は、機器と連結可能な基部を有するビデオ写真用機器のコンパクトな支持体を開示している。この支持体には、基部上に折り畳まれた位置と、機器を支持するために脚部が所望の表面に置かれる拡張位置との間で移動されるように、基部に対して枢動する３つの脚部が設けられている。しかし、この支持体は、特許文献１の支持体の上述の欠点を改善しているものの、他の欠点を有する。
【００１１】
所望の位置に脚部の傾きを調節すること、そして、機器で得ることが望ましいフレーミングのセンタリングは、特に困難であることがわかっている。さらに、撮影中、その移動を避けるために、所望の位置に脚部を施錠すること、及び、その後に基部の上にこれらを折り戻すように脚部を解除することは難しい。
【００１２】
このような欠点は、凸凹な支持面や非常に重い機器で強調される。
【先行技術文献】
【特許文献】
【００１３】
【特許文献１】国際公開第２００６／１２３３８２号
【特許文献２】特開平９―１２７６０２号公報
【発明の概要】
【００１４】
本発明の基礎となる技術的問題は、引用された先行技術に関して述べられた欠点を改良するように、構造的かつ機能的に設計されたビデオ写真用機器のコンパクトな支持体である。
【００１５】
特に、本発明は、ビデオ写真用機器のコンパクトな支持体を与えるために提案されている。その位置は、簡単かつ迅速に調整可能である。
【００１６】
１つの目標は、所望の傾斜で機器を配置させるように、位置を連続的かつ正確に調節されることができるコンパクトな支持体を提供することである。
【００１７】
他の目標は、機器の使用中に選択された位置を維持する支持体を提供することである。
【００１８】
これらの目的は、以下の特許請求の範囲に従って製造されたコンパクトな支持体により達成される。
【００１９】
本発明の特徴部分及び効果は、添付図面を参照して非限定的な例によって図示され、好ましいが限定的ではない例示的な実施の形態の以下の詳細な説明からより明らかになるであろう。
【図面の簡単な説明】
【００２０】
【図１】図１は、閉位置での本発明に係る支持体の斜視図である。
【図２】図２は、開位置での図１の支持体の上面図である。
【図３】図３は、一方向から見た、図２の支持体の斜視図である。
【図４】図４は、図３とは異なる方向から見た、図２の支持体の斜視図である。
【図５】図５は、閉位置での図１の装置に設けられた写真用カメラの斜視図である。
【図６】図６は、図５のアセンブリの側面図である。
【図７】図７は、開位置での支持体を含む、図５のこれらと同様の図である。
【図８】図８は、開位置での支持体を含む、図６のこれらと同様の図である。
【図９】図９は、図２の詳細Ａの拡大図である。
【図１０】図１０は、よりわかりやすくするために取り除かれた部分を含む図９と同様の図である。
【図１１】図１１は、本発明の代わりの実施の形態に関する、図１に対応する図である。
【図１２】図１２は、本発明の代わりの実施の形態に関する、図２に対応する図である。
【図１３】図１３は、本発明の代わりの実施の形態に関する、図３に対応する図である。
【図１４】図１４は、本発明の代わりの実施の形態に関する、図４に対応する図である。
【図１５】図１５は、本発明の代わりの実施の形態に関する、図５に対応する図である。
【図１６】図１６は、本発明の代わりの実施の形態に関する、図６に対応する図である。
【図１７】図１７は、本発明の代わりの実施の形態に関する、図７に対応する図である。
【図１８】図１８は、本発明の代わりの実施の形態に関する、図８に対応する図である。
【発明を実施するための形態】
【００２１】
図１ないし図１０は、例えば、コンパクトタイプの写真用カメラ２のような、ビデオ写真用機器の部品のための支持体１を示している。
【００２２】
支持体１は、コンパクトタイプの写真用カメラ２の基部部分と同様の形状のプレート３を有する。
【００２３】
プレート３は、細長いほぼ矩形の形状を有し、このプレートには、それぞれ互いに面している２つの長側辺３ａ、３ｂ及び２つの短側辺３ｃ、３ｄが形成されている。
【００２４】
プレート３には、プレート３を写真用カメラ２に接続するための接続手段が設けられている。
【００２５】
図示される態様では、接続手段は、写真用カメラ２を支持体１に着脱可能に固定するために、図示されない、写真用カメラ２の相補的な固定手段と協働するのに適した固定手段５をその内部で移動させることができるスロット４を有する。
【００２６】
スロット４は、プレート３の全長のほとんどの部分に延びており、これは、プレート３自体の比較的大きな寸法として理解される。図示される態様では、スロット４は、プレート３中の中心位置に設けられ、プレート３自体の長軸線Ｘにほぼ沿って延びている。しかし、他の態様では、スロット４はまた、プレート３上で対角線上に延びることができる。固定手段５が移動される能力、及びプレート３の全長におけるスロット４の範囲は、互いに異なる形状の平らな機器の支持体１の部品を異なる重さ分布で安定するようにして配置されることを可能にする。
【００２７】
プレート３には、使用中、写真用カメラ２に向かって面することが意図された部分に、写真用カメラ２が支持されるように写真用カメラ２を受けるのに適した複数の突起部分６がさらに設けられている。突起部分６は、写真用カメラ２へのダメージを避けるために柔らかい素材でできており、支持体１に対する機器の安定性の改良を可能にする。
【００２８】
支持体１は、さらに、図１、図５並びに図６に示される閉形態Ｙと、図２ないし図４、図７並びに図８に示される少なくとも１つの開形態Ｚとの間で移動可能であるようにして、それぞれのヒンジ手段８を介してプレート３にヒンジ接続された支持部材７を有する。閉形態Ｙでは、支持部材７は、プレート３上に折り畳まれ、また、開形態Ｚでは、支持部材７は、プレート３及びこれに固定された写真用カメラ２を支持するように、外向きに開かれている。
【００２９】
ヒンジ手段８は、プレート３に対して支持部材７の連続的な回転を与えるようにして構成されており、すなわち、支持部材は、プレート３に対して任意の角度位置に置かれることができる。
【００３０】
これは、支持体１の位置決めの多様性（versatility）が高く、水平に対して所望の傾斜で配置されることができることを意味している。
【００３１】
支持部材７は、プレート３の両側辺に枢動可能に固定された３つの脚部を有する。２つの脚部９、１０は、プレート３の第１の長側辺３ａにヒンジ接続され、また、第３の脚部１１は、プレート３の第２の長側辺３ｂにヒンジ接続されている。
【００３２】
３つの脚部９〜１１の存在が、以下に明確に説明されるように、支持体１の位置決めが、開位置Ｚで特に安定することを可能にする。
【００３３】
特に、３つの脚部９〜１１の存在は、さらに凸凹な支持面でも安定しているようにして、支持体１を配置することを可能にする。
【００３４】
３つの脚部９〜１１は、互いに独立して回転可能であり、３つの脚部が互いに異なるプレート３に対する角度で位置決めされることができるので、支持体１の位置決め及びその安定性の多様性をかなり高める。
【００３５】
好ましくは、２つの脚部９、１０は、第１の長側辺３ａの対向端部１２、１３に近接して配置され、また、第３の脚部１１は、第２の長側辺３ｂのほぼ中心に配置されている。
【００３６】
各支持脚部９〜１１は、図９並びに図１０により明確に示されるように、ここから２つの付属物１４、１５が延びた本体１７を有し、これら付属物は、各脚部９〜１１をプレート３にヒンジ接続するようにヒンジ部分として働く。各付属物１４、１５には、アイレット１８が設けられており、このアイレットでは、プレート３の対応する突起物１６が、それぞれの回転軸線を中心としてプレート３に対して各脚部９〜１１を回転させることができるように、摺動可能に受けられる。図示された態様では、２つの脚部９、１０は、同じ回転軸線Ｘ１を中心として回転可能であり、脚部１１は、この軸線Ｘ１に平行に配置されたそれ自身の回転軸線Ｘ２を中心として回転可能であり、これら回転軸線Ｘ１、Ｘ２は、プレート３の長軸線Ｘにほぼ平行である。
【００３７】
図示されない態様では、各脚部は、それ自身の回転軸線を中心として回転可能であり、各脚部の回転軸線は、互いに対して、及びプレート３の長軸線Ｘに対して横方向に配置されている。
【００３８】
以下により明確に示されるように、同じ脚部９〜１１の２つの付属物１４、１５の間に、プレート３に対して各脚部９〜１１の回転を規制し制動するための少なくとも１つのばね２０又は同様の弾性部材を受けるのに適した受け座部２２が、プレート３に規定されている。
【００３９】
図の態様では、１つのばね２０が各受け座部２２に受けられ、図示されない他の態様では、一方を他方の隣に配置した複数のばねが、好ましくは、各座部２２に設けられることができる。
【００４０】
プレート３に設けられ、座部２２の壁２３からその内部に向かって突出している突起物１６は、座部２２のばね２０のための中心決めかつ保持部材として機能する。
【００４１】
ばね２０は、座部２２の対向壁２３に向かって付属物１４及び１５を押すようにして座部２２に挿入され、そして、付属物１４、１５が、ばね２０と座部２２の壁２３との間に介在される。
【００４２】
各ばね２０は、巻き径Ｄで所望の回転数ｓをなすように、直径ｄのワイヤを巻くことによって形成されている。ばね２０は、プレート３の部品との直接的なスラスト接触を避けるように、座巻ｓが付属物１４、１５に対して支持するようにして形作られている。各ばね２０の外側輪郭形状は、そのばね２０が、プレート３の全体の寸法内に実質的に含まれるようにして、プレート３の長側辺３ａ、３ｂとほぼアライメントされている。
【００４３】
その端部で、すなわち、各脚部９〜１１の付属物１４、１５にばね２０によって及ぼされる力Ｆは、巻き数ｓ、ワイヤの直径ｄ、巻き径Ｄ及びばね２０が作られた材料に依存している。ばね２０によって及ぼされるスラスト力は、座部２２の対応する壁２３に対して付属物１４、１５を押す傾向にある。付属物１４、１５は、座部２２の壁２３に、従ってプレート３に作用する摩擦力としてばね２０のスラスト力を伝達するように、ばね２０の影響によって弾力的に離れるように広げられることができる。ばね２０を適切にサイズ決めし、その材料を適切に選択することによって、壁２３に対して付属物１４、１５を付勢するように、ばね２０によって及ぼされる力を調節することが可能であり、それ故、抵抗性の結合（resistant couple）が、プレート３に対して支持脚部９〜１１の回転に対抗するプレート３に発生される。
【００４４】
開位置Ｚの支持体１に関して、プレート３上に置く写真用カメラ２又は設備の他の部品は、プレート３に対して外向きに開くように脚部９〜１１を回転させる傾向にある結合を脚部９〜１１に発生させる。
【００４５】
しかし、ばね２０によって発生された抵抗性の結合が、写真用カメラ２の重さによって発生された結合よりも大きいとき、支持体１の移動は起こらない。
【００４６】
好ましくは、各ばね２０は、抵抗性の結合が、安定した支持体を得るために支持体１で支持されるビデオ写真用機器によって発生された結合よりも大きな寸法である。
【００４７】
設備によって発生される結合は、その重さに依存しており、慣例的には、１００〜８００ｇである。
【００４８】
好ましくは、各ばね２０は、付属物１４、１５に少なくとも５０Ｎの、好ましくは５０ないし１５０Ｎの力Ｆを及ぼすような寸法である。それ故、各ばね２０は、プレート３に固定される１００〜８００ｇの重さを有する機器の部品と共に、後者が適切に配置されたときにその移動を防ぐように、それ自身で支持体１を支持することができるような寸法である。
【００４９】
写真用カメラ２の所望の位置の脚部９〜１１の位置決め後、脚部は、上述の位置を維持し、また、その位置からこれらを移動させるために、プレート３に作用する摩擦力よりも大きな力を脚部９〜１１に及ぼすことが必要である。
【００５０】
それ故、所望の開形態Ｚで脚部９〜１１を施錠するために専用のロック手段を与える必要がない。
【００５１】
これは、既知の支持体と比較して、本発明に係る支持体１の構成及び使用をかなり単純化する。
【００５２】
さらに、写真用カメラ２を支持するための開形態Ｚでの脚部９〜１１の位置決めは、特に安定している。
【００５３】
これは、特定の位置を維持することを可能にする安定支持体を簡単なやり方で得られることを可能にし、写真用カメラ２の使用中、移動しない。高品質の撮影が、間に合わせの表面に置いたときでさえも、写真用カメラ２で得られることができる。
【００５４】
本発明の支持体に関して、さらに、プレート３に対して脚部９〜１１の位置を連続的に調節すること、すなわち、プレート３に対する回転位置にこれらを置くことが可能である。
【００５５】
さらに、本発明の支持体に関して、互いに独立して脚部９〜１１の各々を位置決めすることが可能である。
【００５６】
支持体１の長期使用は、脚部９〜１１を回転させる際に逆に滑ることにより、付属物１４、１５及び座部２２の対向壁２３の摩耗を引き起こす。
【００５７】
しかし、本発明の支持体では、従って、摩耗に関して、ばね２０は、座部２２で広がっており、この結果、座巻ｓは、座部２２の対向壁２３に向かって付属物１４、１５を押す。従って、さらに摩耗の場合には、ばね２０は、各脚部９〜１１の回転を制動し規制する。
【００５８】
これは、付属物１４、１５が座部２２で滑らないように、座部２２で付属物１４、１５の位置を安定して保つことを可能にする。この結果、さらに摩耗の場合には、脚部９〜１１の位置は安定して保たれる。
【００５９】
これは、本発明の装置が長期間の間効率的に使用されることを可能にする。
【００６０】
これは、支持体１を特に簡単であるようにして位置決めすること、水平軸に対してどんな傾斜でも写真用カメラ２を位置決めすること、及び、それ故、支持体１に固定された写真用カメラ２で得ることが可能なフレーミングを簡単であるようにして高めることを可能にする。
【００６１】
これは、水平のフレーミングを維持するために、脚部９〜１１を互いに異なるように傾けるとき、さらに支持体１を、傾けられた支持面又は凸凹の支持面上の使用に対して特に汎用的で適切にする。
【００６２】
支持体１は、その全体の重さを制限するように、軽い金属材料でできている。しかし、ばね２０及び付属物１４、１５は、摩耗をあまり受けない鋼でできている。このようにして、付属物１４、１５は、脚部９〜１１の移動中、ばね２０によって及ぼされる力によってダメージを受けず、ばね２０とプレート３との間の付属物１４、１５の介在は、後者が脚部９〜１１の移動中に保護されることを可能にする。
【００６３】
他方では、支持体１のプレート３は、好ましくは、ザマック、ＺｎとＡｌとの合金でできている。これは、支持体の全体の重さを制限することができ、同時に、容易に成型される材料であることができる。
【００６４】
さらに、ザマックの使用は、ばね２０によって及ぼされるスラスト作用の影響によってプレート３の変形を制限することを可能にする。
【００６５】
その端部でばね２０によって及ぼされるスラスト力、すなわち、座部２２の壁２３に作用する摩擦力は、写真用カメラが支持体１上に固定されたとき、その端部１２、１３を上向きに、すなわち写真用カメラ２に向かってプレート３を変形させる傾向にある。
【００６６】
言い換えれば、プレート３は、ばね２０の影響に起因するわずかなＵ形状の形態を仮定する傾向にある。ザマックの使用は、アルミニウムと比較して、このような変形が制限されることを可能にする。
【００６７】
しかし、所定の、制限的であるが、プレートの変形は、支持体１上に写真用カメラ２の固定の安定性を改良することを可能にするので、Ｕ形状の形態は、受け可能であるだけでなく望ましいということであると仮定し、それ故、アセンブリ全体として撮影の質を改良する。
【００６８】
一態様では、支持体１には、固定手段５に写真用カメラを取り付けるためのねじ回し又は他のねじ装置が設けられている。支持体１のプレート３には、使用されていないときに小さなケーブルを介してねじ回しを挿入するための孔２１が設けられている。
【００６９】
図１１ないし図１８は、１００によって示される本発明に係る支持体の他の実施の形態を示している。これら図では、図１ないし図１０の支持体１に対応する部分は、同じ参照符号によって示され、詳しく説明されない。支持体１００は、特に、例えば、写真用カメラ２００の本体２０２と連結可能な望遠レンズ２０１が設けられた反射タイプの写真用カメラ２００のように、かなりのサイズのビデオ写真用機器のために使用されるのに適している。
【００７０】
支持体１００は、プレート３’を有し、このプレート３’はそれぞれのヒンジ手段８’を介して支持部材７’とヒンジ接続され、支持部材７’は、図１１、図１５並びに図１６に示される閉形態Ｙと、図１２ないし図１４、図１７並びに図１８に示される少なくとも１つの開形態Ｚとの間で移動可能である。閉形態Ｙでは、支持部材７’は、プレート３’上に折り畳まれ、また、開形態Ｚでは、支持部材７’は、プレート３’及びこれに固定された写真用カメラ２００を支持するように外向きに開かれている。
【００７１】
プレート３’は、大きい方の基部（major base）３’ａと小さい方の基部（minor base）３’ｂとを備えたほぼ台形の形状であり、大きい方の基部３’ａは、２つの脚部９’、１０’とヒンジ接続された対向している端部部分２３’、１３’にヒンジ接続され、また、小さい方の基部３’は、中心位置で、第３の支持脚部１１’にヒンジ接続されている。脚部９’〜１１’は、それぞれの回転軸線Ｘ１’〜Ｘ３を中心として回転可能である。
【００７２】
プレート３’の大きい方の基部３’ａの端部部分１２’、１３’は、支持体１００の支持の安定性を高めるようにして、内側に、すなわち、小さい方の基部３’ｂに向かって傾斜している。
【００７３】
脚部９’〜１１’は、これらの端部で、従って、各脚部９’〜１１’の付属物１４’、１５’に、２４５ないし４５０Ｎの力Ｆ’を及ぼすそれぞれのばね２０’によってプレート３’にヒンジ接続されている。
【００７４】
このようにして、各ばね２０’は、重さ約１．５ｋｇまでの写真用カメラでさえも、特定の位置に対して脚部９’〜１１’の移動を防ぐような抵抗性の結合を働かせる。それ故、重さ１．５ｋｇまでの写真用カメラに関して、脚部９’〜１１’に写真用カメラ２００（又は他の機器）によって及ぼされる結合は、これらを移動させるのに十分でなく、また、支持体１００は、それ自身の位置を維持する。
【００７５】
任意の位置から支持体１００の脚部９’〜１１’を移動させるために、ばね２０’によってプレート３’に及ぼされる摩擦力よりも大きな力を及ぼす必要があり、従って、かなりの寸法、それ故かなりの重さの機器でさえも支持体１００が安定させる。
【００７６】
それ故、脚９’〜１１’のためのロック手段を与える必要がなく、これにより、既知の支持物と比較して、本発明の支持体１００の硬性及び使用をかなり単純化する。
【００７７】
図示される態様では、支持体１００には、接続手段が設けられており、この接続手段は、プレート３’に延びた複数のスロット４を有し、これらスロットの各々には、支持体１００に写真用カメラ２００を固定するための着脱可能で連結可能な固定手段５’がある。複数のスロット４’は、３つのスロット４’ａ、４’ｂ、４’ｃを有し、これらスロットの各々は、小さい方の基部３’ｂと大きい方の基部３’ａとの間に規定された方向に延びている。
【００７８】
固定手段５’がスロット４’ａ、４’ｂ、４’ｃ中を移動される能力、台形のプレート’３のスロット４’ａ〜４’ｃの長さ、及びプレート３’に適切に離間された３つの離れたスロット４’ａ、４’ｂ、４’ｃの準備は、互いに異なる形状で、異なる重さ分布であっても、機器２００の支持体１００の部品を安定するようにして位置決めすることを可能にする。
【００７９】
各スロット４ａ〜４ｃ中で固定手段５’を適切に移動させることによって、さまざまな全長のレンズ２０１を有する写真用カメラ２００の位置決めを支持体１００に安定させることが可能である。さらに、固定手段５を支持体１００の異なるスロット４ａ〜４ｃに連結することによって、互いに異なる重さ分布を有する写真用カメラ２００の位置決めを支持体１００に安定させることが可能である。各場合において、支持体１００及び写真用カメラ２００からなるアセンブリの安定性は、かなり高められる。
【００８０】
この態様ではまた、図１ないし図１０の態様を参照して説明された利点が維持される。３つの支持脚部９’〜１１’の存在は、支持体１００の位置決めが凸凹の支持面上であっても、特に開位置Ｚで安定していることを可能にする。プレート’３に対する脚部９’〜１１’の位置は、連続的に調節されることができる、すなわち、脚部９’〜１１’は、プレート３’に対して回転した位置に配置されることができ、また、脚部９’〜１１は、互いに独立して位置決めされることができ、所望であれば、支持体１００を傾斜させるためと、傾斜した表面であっても支持体１００を水平に位置決めするためとの少なくとも一方を可能にする。
【００８１】
この態様ではまた、ばね２０’は、座部２２に受けられるように、かつプレート３’の全体の寸法に対して実質的に突出しないようにして形作られている。各脚部９’〜１１’の付属物１４’、１５’は、ばね２０’とそれぞれの座部２２の壁２３との間で間に介在され、支持体１００の使用中、脚部９’〜１１’の回転に起因する摩耗に抵抗するように鋼でできている。他方では、プレート３’は、その全体の重さを制限するために、ザマックでできている。
【００８２】
プレート３’には、写真用カメラを固定手段５に取り付けるためのねじ回し又は他のねじ装置のために、入口部分２１’を介してアクセス可能な、小さなケーブルを固定するための座部が設けられている。
【００８３】
図示されない態様では、本発明の支持体には、上に記載されたスロットとは異なる支持体に機器を固定するために、固定手段を着脱可能に受けるための連結手段が設けられることができる。
【符号の説明】
【００８４】
１…支持体、２…写真用カメラ、３…プレート、４…スロット、５…固定手段、６…突起部分、７…支持部材、８…ヒンジ手段、９，１０，１１…脚部、１２，１３…端部部分、１４、１５…付属物、１６…突起物、１７…本体、１８…アイレット、２０…ばね、２１…孔、２２…座部、２３…壁、１００…支持体、２００…支持体、２０１…望遠レンズ、２０２…本体。
【図１】
2011242772.tif 000003
【図２】
2011242772.tif 000004
【図３】
2011242772.tif 000005
【図４】
2011242772.tif 000006
【図５】
2011242772.tif 000007
【図６】
2011242772.tif 000008
【図７】
2011242772.tif 000009
【図８】
2011242772.tif 000010
【図９】
2011242772.tif 000011
【図１０】
2011242772.tif 000012
【図１１】
2011242772.tif 000013
【図１２】
2011242772.tif 000014
【図１３】
2011242772.tif 000015
【図１４】
2011242772.tif 000016
【図１５】
2011242772.tif 000017
【図１６】
2011242772.tif 000018
【図１７】
2011242772.tif 000019
【図１８】
2011242772.tif 000020
【外国語明細書】
2011242772000001.pdf